【手続補正書】
【提出日】平成20年2月7日(2008.2.7)
【手続補正１】
【補正対象書類名】明細書
【補正対象項目名】特許請求の範囲
【補正方法】変更
【補正の内容】
【特許請求の範囲】
【請求項１】  前方に発射体を発射するための武器のための反動制御機構であって、機構は武器の発射の際に実質的に同時に反対方向に駆動される第１の質量部と第２の質量部とを含み、第１の質量部は武器の後方への反動に対抗するために前方へ駆動され、第２の質量部は反動力のいくらかを吸収するために後方へ駆動され、第１の質量部と第２の質量部は、対面する反発面を有し、発射時に武器の発射する薬室から排出されるガスは反発面の間に入って第１の質量部と第２の質量部とを引き離すよう駆動する、反動制御機構。
【請求項２】  フレームを含み、第１の質量部と第２の質量部とはフレームに関連してフレームはそれぞれの前方および後方への運動を誘導し、さらに
第２の質量部とフレームとの間で動作する力吸収手段と、第１の質量部とフレームとの間で動作する力伝達手段とを含む、請求項１に記載の反動制御機構。
【請求項３】  フレームは武器に、機構がこれに関連して動作可能であって第１および第２の質量部を武器の発射の際に前記反対方向に駆動するよう、装着可能である、請求項２に記載の反動制御機構。
【請求項４】  前方に発射体を発射するための武器であって、武器は請求項１、請求項２、または請求項３のいずれかに記載の反動制御機構を含む、武器。
【請求項５】  前方に発射体を発射するための武器であって、武器は武器の発射の際に実質的に同時に反対方向に駆動される第１の質量部と第２の質量部とを含み、第１の質量部は武器の後方への反動に対抗するために前方へ駆動され、第２の質量部は反動力のいくらかを吸収するために後方へ駆動され、第２の質量部は武器の遊底であって第１の質量部は武器の銃身であり、銃身は、銃身の装填端で薬室と関連して発射体を含む弾薬包と爆発推進薬とを受け、遊底と銃身とは、銃身を通して発射体を推進するための推進薬の発射の際に薬室からの膨張するガスを受けるための介在ガス接触領域を含み、膨張するガスは銃身を前方にブローし、かつ同時に遊底を後方にブローする、武器。
【請求項６】  武器の銃身とフレームとに関連して、銃身の前進運動からの前方への力をフレームに伝達するための手段を含む、請求項５に記載の武器。
【請求項７】  銃身の前進運動からの前方への力を武器のフレームに伝達するための手段は、力伝達および力吸収手段であり、圧縮ばね、空気圧または水圧ピストンおよびシリンダ機構、および電磁機構の１つである、請求項６に記載の武器。
【請求項８】  力伝達および力吸収手段は、銃身をその発射位置に戻すよう動作可能である、請求項７に記載の武器。
【請求項９】  銃身と遊底とは、武器のフレームに対して互いに向かってバイアスが付けられる、請求項５に記載の武器。
【請求項１０】  銃身と遊底とは、銃身と遊底との間に接続される引張りばねを介して互いに向かってバイアスが付けられる、請求項９に記載の武器。
【請求項１１】  引張りばねは、発射体を発射するための推進薬のデトネーションの際に瞬間的に遊底をその発射位置に維持するよう動作可能であり、遊底は発射体の前進運動を開始するための反発面を提供する、請求項１０に記載の武器。
【請求項１２】  引張りばねは、遊底の後退運動の後に遊底をその発射位置に戻すよう動作可能である、請求項１１に記載の武器。
【請求項１３】  遊底と銃身との互いに向かうバイアスは、銃身と武器のフレームとの間、および遊底と武器のフレームとの間のそれぞれで独立して作用する手段によって提供される、請求項９に記載の武器。
【請求項１４】  銃身と武器のフレームとの間、および遊底と武器のフレームとの間のそれぞれで独立して作用する手段は、各々らせん圧縮ばねを含む、請求項１３に記載の武器。
【請求項１５】  薬室は銃身によって提供される、請求項５に記載の武器。
【請求項１６】  薬室は遊底によって提供される、請求項５に記載の武器。
【請求項１７】  薬室は銃身と遊底との組合わせによって提供される、請求項５に記載の武器。
【請求項１８】  薬室は別々の構成要素であって、介在ガス接触領域は、一部は２つの対面する反発面によって規定され、その各々は直接または間接的に銃身または遊底のうちの１つと関連する、請求項５に記載の武器。
【請求項１９】  第１の質量部は、第１の質量部と銃身とが前方に駆動するよう武器の銃身と関連し、第２の質量部は武器の遊底である、請求項４に記載の武器。
【請求項２０】  武器から発射体を発射するための爆発推進薬のデトネーションの際に、銃身、第１の質量部および遊底は最初に前方に駆動され、その後に銃身と遊底とは第１の質量部が前進を続けている間に後方に駆動される、請求項１９に記載の武器。
【請求項２１】  銃身は、武器のフレームに対して後方に発射位置に向かってバイアスを付けられ、第１の質量部は銃身の当接に抗してフレームに対してバイアスを付けられ、遊底はフレームに対して前方に発射位置に向かってバイアスを付けられ、介在ガス接触領域は銃身の当接と第１の質量部との間で対向する面によって規定され、かつ銃身によって提供される薬室とガスが連通し、薬室内の爆発推進薬のデトネーションからの膨張するガスは、発射体を薬室から銃身を通って推進させて銃身が第１の質量部とともに前方に駆動するよう動作し、遊底は、膨張するガスが介在ガス接触領域に入るまで銃身と同時に前方に移動するよう前方にバイアスを付けられ、膨張するガスが介在ガス接触領域に入ると遊底は後方に駆動されて同時に第１の質量部は前方に駆動され、銃身の運動は、第１の質量部が前進を続ける一方で、銃身とフレームとの間のバイアスによって反転する、請求項１９に記載の武器。
【請求項２２】  発射体の発射によって起こる武器の反動に対抗するための方法であって、方法は、後方への反動力に対抗するために発射体と同じ方向に前方に駆動されるべき第１の質量部を提供するステップと、後方への反動力のいくらかを実質的に同時に吸収するために力吸収手段に抗して後方へ駆動されるべき第２の質量部を提供するステップと、発射時に武器の発射する薬室から排出されて反発面の間に入り第１の質量部と第２の質量部とを引き離すよう駆動するガスを提供するステップとを含む、方法。
【手続補正２】
【補正対象書類名】明細書
【補正対象項目名】０００９
【補正方法】変更
【補正の内容】
【０００９】
したがって、この発明の第１の局面においては、前方に発射体を発射するための武器に対する反動制御機構が提供され、これは発射の際に実質的に反対方向に駆動される第１の質量部と第２の質量部とを含み、第１の質量部は武器の後方への反動に対抗するために前方に駆動され、第２の質量部は反動力のいくらかを吸収するために後方に駆動され、第１の質量部と第２の質量部は、対面する反発面を有し、発射時に武器の発射する薬室から排出されるガスは反発面の間に入って第１の質量部と第２の質量部とを引き離すよう駆動する。
【手続補正３】
【補正対象書類名】明細書
【補正対象項目名】００１２
【補正方法】変更
【補正の内容】
【００１２】
この発明の第２の局面においては、発射体の発射によって生じた武器の反動に対抗するための方法を提供し、方法は後方への反動力に対抗するために発射体と実質的に同じ方向に前方に駆動されるべき第１の質量部を提供するステップと、後方への反動力のいくらかを実質的に同時に吸収するために力吸収手段に抗して後方へ駆動されるべき第２の質量部を提供するステップと、発射時に武器の発射する薬室から排出されて反発面の間に入り第１の質量部と第２の質量部とを引き離すよう駆動するガスを提供するステップとを含む。